(57)【要約】  【課題】  本発明は、複数の生体認証手段を用いたシステムにおいて、各認証手段の認証結果を有効に反映しつつＦＡＲを低減し、かつ、本人拒否率も低くできる複数の生体認証手段を活用したシステムを提供する事を目的とする。【解決手段】  本発明は、制御手段１０において、第1の生体情報認証手段での認証結果を、当人と認証できる確度のほかに、該確度に達していないが当人の可能性を示す程度の第２の確度を設定し、第1の生体情報認証手段での認証結果が第１の確度に満たず第２の確度より大きい確度であった場合には、第２の生体情報認証手段での認証を行わせ、その結果を基に認証を行うようにした。  【選択図】  図２
2006252225.tif 000002
【特許請求の範囲】
【請求項１】
コンピュータに、
第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行させる生体認証プログラム。
【請求項２】
前記第２認証ステップにおいて、第３の認証レベル閾値は、第１の生体情報認証手段の認証レベル情報に応じて設定する
事を特徴とする請求項１記載の生体認証プログラム。
【請求項３】
前記第２認証ステップにおいて、第３の認証レベル閾値は、第１の生体情報認証手段の認証レベル情報が第１の認証レベル閾値に近いほど、認証レベル閾値を低くする事を特徴とする請求項２に記載の生体認証プログラム。
【請求項４】
前記第１の生体情報認証手段及び前記第２の生体情報認証手段からの認証レベル情報、第１の認証レベル閾値、第２の認証レベル閾値及び第３の認証レベル閾値は他人受け入れ率情報である事を特徴とする請求項１から請求項３に記載の生体認証プログラム。
【請求項５】
コンピュータに、
生体情報読み取り手段からの情報に基づき認証を行う第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、前記生体情報読み取り手段からの情報に基づき認証を行う第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行させる生体認証プログラム。
【請求項６】
コンピュータに、
生体情報読み取り手段からの情報に基づき、第１の生体情報に対する認証を行う第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、前記生体情報読み取り手段からの情報に基づき、第２の生体情報に対する認証を行う第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行させる生体認証プログラム。
【請求項７】
コンピュータが、
第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行する事を特徴とする生体認証方法。
【請求項８】
コンピュータが、
生体情報読み取り手段からの情報に基づき認証を行う第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、前記生体情報読み取り手段からの情報に基づき認証を行う第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行する事を特徴とする生体認証方法。
【請求項９】
第１の生体情報認証手段に対し、認証指示を行う第１認証指示手段と、
前記指示手段による認証指示の後、第１の生体情報認証手段からの認証レベル情報が、第１の認証レベル閾値に達せず、第２の認証レベル閾値に達していると判断した場合、第２の生体情報認証手段における第３の認証レベル閾値を設定するとともに第２の生体情報認証手段に対し、認証指示を行う第２認証指示手段と、
前記第２認証指示手段による認証指示の後、第２の生体情報認証手段からの認証レベル情報が、第３の認証レベル閾値に達している場合、認証を許可する許可手段と、
を備える事を特徴とする生体認証装置。
【請求項１０】
生体情報読み取り手段からの情報に基づき認証を行う第１の生体情報認証手段に対し、認証指示を行う第１認証指示手段と、
前記指示手段による認証指示の後、第１の生体情報認証手段からの認証レベル情報が、第１の認証レベル閾値に達せず、第２の認証レベル閾値に達していると判断した場合、前記生体情報読み取り手段からの情報に基づき認証を行う第２の生体情報認証手段における第３の認証レベル閾値を設定するとともに第２の生体情報認証手段に対し、認証指示を行う第２認証指示手段と、
前記第２認証指示手段による認証指示の後、第２の生体情報認証手段からの認証レベル情報が、第３の認証レベル閾値に達している場合、認証を許可する許可手段と、
を備える事を特徴とする生体認証装置。
【発明の詳細な説明】
【技術分野】
【０００１】
本発明は、手のひら静脈認証や指紋認証等の生体認証を行うプログラム、装置及び方法に関するものである。
【背景技術】
【０００２】
近年、手のひら静脈認証や指紋認証等、生体情報を用いて認証を行う生体認証は、パスワードなどによる認証に比べ、盗用の危険性が少なく、また、パスワードのように利用者の記憶に頼るものでもないという利便性も重なり、セキュリティの分野で注目されている。
【０００３】
この生体認証は、基本的に予め、対象となる生体情報（指紋・静脈情報等）を登録しておき、その登録された情報と、認証用に取得された生体情報とを比較する事により、認証を行う。
【０００４】
この認証方式には、上記した指紋認証、手のひら静脈認証のほかに、声紋、顔、虹彩（目の白目より内側の瞳孔を除いたドーナツ形状の部分）の形状等があり、それぞれ、他人受入率（他人であっても当人と誤認してしまう率）がまちまちである。
【０００５】
このため、従来特開２００４−１５２０４５号公報など示されるように、複数の生体認証を行い、その個々の認証に合格したか否かを判定し、その結果を基に認証の可否を行う事が試みられている。
【特許文献１】特開２００４−１５２０４５号公報
【発明の開示】
【発明が解決しようとする課題】
【０００６】
しかしながら、上記のような従来の複数の生体認証では、個々の認証自体は独立し、その各々の認証結果を元に個人の判別を行っている。
【０００７】
このため、認証精度の高いもの同士での複数認証は単独で生体認証を行った場合に比べ、他人受入率をより低くできるものの、事実上敷居が高くなり、本人であっても本人で無いと誤認する本人拒否率が高くなってしまうという課題が生じてしまう。
【０００８】
また、他人受入率が高い認証手段と低い認証認証を組み合わせても、事実上、他人受入率が高い認証装置の他人受入率とあまり変わらない他人受入率しかない場合が多く、他人受入率の低い認証装置は意味が無いという事にもなってしまう。
【０００９】
本発明は、この点に鑑みて成されたもので、複数の生体情報認証手段を用いたシステムにおいて、各認証手段の認証結果を有効に反映しつつ他人受入率を低減し、かつ、本人拒否率も低くできる複数の生体情報認証手段を活用したシステムを提供する事を目的とする。
【課題を解決するための手段】
【００１０】
本発明は、上記目的を達成するために、第1の生体情報認証手段での認証結果を、当人と認証できる確度のほかに、該確度に達していないが当人の可能性を示す程度の第２の確度を設定し、第1の生体情報認証手段での認証結果が第１の確度に満たず第２の確度より大きい確度であった場合には、第２の生体情報認証手段での認証を行わせ、その結果を基に認証を行うようにしたものである。
【００１１】
また、この第２の生体情報認証手段の認証結果が当人と認証できる確度は、第１の生体情報認証手段の認証結果による当人の確度により動的に変更されるものである。
【発明の効果】
【００１２】
本発明は、この様な構成にする事で、ある生体情報認証手段の認証結果に対して、他の認証手段の結果による補強を行う認証となるため、従来のように、個々の認証結果の一番厳しい結果を最終結果とするわけではなくなるため、本人拒否率が、上記従来の複数の生体認証をもちいたシステムに比べ低く抑える事が可能となる。
【００１３】
また、他の認証手段の結果による補強を行う認証と言う事で、例えば、一方の生体情報認証手段の他人受入率が高くとも、その認証結果によって、他人受入率が高いほうの生体情報認証手段の結果を補強する形となるので、この様なシステムにおいても、他人受入率の低い認証手段単体の場合よりも、より他人受入率の低い精度の高い認証結果を得る事ができる。
【発明を実施するための最良の形態】
【００１４】
以下、本発明を実施するための最良の形態について述べる。
【００１５】
図１は、本発明の生体認証装置を適用したＡＴＭ（Ａｕｔｏｍａｔｅｄ−Ｔｅｌｌｅｒ  Ｍａｃｈｉｎｅ）端末の例を示す。以下本実施の形態は、該ＡＴＭ端末を例として説明を行う。なお、本発明の適用は、複数の生体情報認証手段を有するシステムであれば、このＡＴＭ端末に限られるものではない。
【００１６】
図１において、１はＡＴＭ端末本体である。２は、利用者に対し、情報の表示を行うとともに、該画面に触れることで利用者が情報入力を行う、タッチパネル付ディスプレイである。３は、生体情報認証手段の一種で、手のひらを該手段の上にかざすと、例えば近赤外線を放射し、その結果、手のひらより得られる静脈パターンを読み取る手のひら静脈画像読み取り手段である。４は、指紋を読み取る指紋読み取り手段、５は、顔認証に使用される顔を撮像するカメラである。６は、声紋認証に利用されるマイク、７は利用者が所持するカードで、ＩＣチップが埋め込まれ、該ＩＣチップ内に認証のための各種情報を記憶した記憶領域８を有する。
【００１７】
更に、９は、カード７内の記憶領域８に記憶されている情報を読み取るカード情報読み取り手段である。
【００１８】
このＡＴＭ端末についての機能ブロック図を示したものが、図２である。
【００１９】
１はＡＴＭ端末本体を示す。
【００２０】
１０は、ＡＴＭ端末全体の制御を行う制御手段で、記憶領域２０を有している。
以下、ＡＴＭ端末における処理の説明にて特に指摘が無い場合は、該制御手段１０が処理を行っているものとする。また、制御手段１０には、カード読み取り手段９が接続されており、利用者が挿入したカード７の記憶領域から各種認証情報を読み取り、制御手段１０へ送る処理を行っている。
【００２１】
ここで、カード７の記憶領域８に記憶されている情報について図３を用いて説明する。
カード７の記憶領域８には、ＡＴＭ端末１で認証可能な認証情報の認証基礎情報が記憶されている。図３にその記憶内容を示す。この図３でわかるように、記憶領域８には、暗証番号情報１０１、指紋認証の際に使用される指紋認証マスター画像情報１０２、手のひら静脈認証で使用される静脈指紋認証マスター画像情報１０３、声紋認証で使用される声紋認証マスター情報１０４、顔認証で使用される顔認証マスター画像情報１０５、及び、生体情報認証手段での認証順序情報１０６（ここでは、第１の生体情報認証手段として手のひら静脈認証・第２の生体情報認証手段として声紋認証とする事が記録されている。）が、記憶されており、各生体情報認証手段による認証の際、制御手段を経由して適宜生体情報認証手段へ転送される。
【００２２】
なお、本実施の形態の場合は、画像情報同士のマッチングによる認証を行うものとし、カードの記憶領域には、各マスター画像情報自体を記憶しているが、例えば顔認証の場合、顔の各パーツ（目・鼻・口など）の位置情報を量子化して記憶しておき、後述する顔認証手段５１で、その座標と、カメラ５で撮像された画像中から各顔の位置を認証しマスター情報との対比を行うようにするなど、画像情報を特徴データ化することでカードに記憶する事も可能で、このようにすれば各認証マスター情報の記憶容量を、低く抑える事が可能である。
【００２３】
また、本実施の形態では、カード内の生体認証情報を読み出して認証を行うようにしているが、カード内にて認証を行うための処理手段をいれておくことで、個人生体認証情報の漏洩を防止する事が可能となる。
【００２４】
また、図１にも示されたタッチパネル付ディスプレイ２は、画像を表示するディスプレイ部２３とその前面に設置された透明のタッチパネル２１とからなり、ディスプレイ２３の表示制御は、制御手段１０からの指示を受けたディスプレイ制御手段２４が行い、タッチパネル２１で入力された位置情報をタッチパネル制御手段２２が検出し、制御手段１０へ伝える構成となっている。
【００２５】
また、５１は、図１にも示されたカメラ５で撮像された画像によって撮像された顔情報を基に顔認証処理を行う顔認証手段である。この顔認証手段５１には、カメラ５３で撮像された顔画像情報を記憶する顔画像記憶領域５２、認証レベル情報を記憶する認証レベル情報記憶領域５３とが接続されている。この認証レベル記憶領域５３には、図４に示すように、１回目の生体認証を行う第１の生体情報認証手段として利用された場合の認証レベル閾値及び２回目以降の生体認証を行う第２認証手段として利用された場合の認証レベル閾値が記憶「される。
【００２６】
このうち、第１の生体情報認証手段として利用された場合の認証レベル閾値は、第１認証レベル閾値（ここでは他人受入率１０．０％）、第２認証レベル閾値（ここでは他人受入率１０．０％）の２つの閾値が記憶されている。この第１認証レベル閾値は、この閾値未満の他人受入率だった場合、認証を許可するという基準となる閾値である。また、第２認証レベル閾値は、この閾値以下で第１認証レベル閾値以上だった場合、第２の生体情報認証手段により認証を行わせるという基準の閾値である。なお、後でも述べるが、顔認証手段５１は、第２認証レベル閾値以上の他人受入率であった場合には、認証不可と判定する。
【００２７】
また、第２認証手段として利用された場合の認証レベル閾値には、第１の生体情報認証手段による認証での他人受入率に応じて、３段階に設定される。基本的には、第１の生体情報認証手段の他人受入率が小さいほど、この認証レベル閾値が大きくなる閾値が記憶されている。
【００２８】
また、６１は、図１にも示されたマイク６で集音された音声情報を基に声紋認証処理を行う声紋認証手段である。この声紋認証手段６１には、マイク６で集音された音声情報を記憶する音声情報記憶領域６２、認証レベル情報を記憶する認証レベル情報記憶領域６３とが接続されている。この認証レベル記憶領域６３の構成は、顔認証手段５１に接続されている、認証レベル記憶領域５３と同様の情報が記憶されており、ここではその詳細の説明を省略する。
【００２９】
また、３１は、図１にも示された手のひら静脈画像読み取り手段３で取得された手のひら静脈画像情報を基に手のひら静脈認証処理を行う手のひら静脈認証手段である。この手のひら静脈認証手段３１には、手のひら静脈画像読み取り手段３で取得された手のひら静脈画像情報を記憶する手のひら静脈情報記憶領域３２、認証レベル情報を記憶する認証レベル情報記憶領域３３とが接続されている。この認証レベル記憶領域３３の構成は、顔認証手段５１に接続されている、認証レベル記憶領域５３と同様の情報が記憶されている。但し、手のひら静脈認証情報は、上記してきた顔認証・声紋認証に比べ一般に他人受入率が高いとされているため、図５に示されるようにレベル閾値である他人受入率が低く設定されている。
【００３０】
ただし、声紋・顔・手のひら静脈認証いずれの場合でも第１の生体情報認証手段として最初に認証を行い、その認証結果のみで認証ＯＫとする第１認証レベル閾値のみは同じである。これは、認証手段認証精度のばらつきがあっては正式な認証ができないためにこの様な設定を行っている。
【００３１】
さらに、４１は、図１にも示された指紋読み取り手段４で取得された指紋画像情報を基に指紋画像処理を行う指紋画像認証手段である。この指紋認証手段４１には、指紋読み取り手段４で取得された指紋画像情報を記憶する指紋情報記憶領域４２、認証レベル情報を記憶する認証レベル情報記憶領域４３とが接続されている。指紋認証も、声紋・顔認証より他人受入率が高いとされているので、この認証レベル情報記憶領域４３には、手のひら静脈認証手段４１に接続されている認証レベル記憶領域３３に記憶されているものと同じ情報（図５に示される情報）が記憶されている。
なお、顔認証手段５１、声紋認証手段６１、手のひら静脈認証手段３１、指紋認証手段４１（以下総称して各生体情報認証手段と称す）は、全て制御手段１０の指示によって処理を実行するとともに、各読み取り手段（カメラ５、マイク６、手のひら静脈画像読み取り手段３、指紋読み取り手段４）から読み取った情報と、制御手段１０経由で受け取った、カード７の記憶領域８に記憶される各生体情報のマスター情報（図３参照）との比較を行う事により認証を行う。
【００３２】
また、各生体情報認証手段は、認証を行ったときのマスター情報と読み取った情報との一致度合から、他人受入率を計算する機能も有している。
【００３３】
なお、制御手段１の記憶領域２０は、制御手段１で処理を行うに当たり必要な情報の記憶に利用されるが、この記憶領域２０には、図６に示されるようにデフォルトの認証手段の認証順序も記憶されている。
【００３４】
更にこのＡＴＭ端末は、この認証の結果、本人認証ができた場合にネットワーク１２経由でセンター１３との各種通信を行う通信制御手段１１を有しており、該通信制御手段１１も、制御手段１０に接続され、制御手段１０の制御に基づき、センター１３との通信を行うようになっている。
【００３５】
以上のように構成された、複数の生体情報認証手段を有するＡＴＭ端末について、以下、その認証処理の説明を図７、図８のフローチャートに基づきその説明を行う。
【００３６】
なお、処理については、特に明記が無い限り制御手段１０が処理を行っているものとする。
【００３７】
カード読み取り手段９は、カード読み取り手段９に対し、カード７を挿入が行われたかを検出している（Ｓ１００１）。ここで、カード７の挿入を検出しない場合は（Ｓ１００２）、カード読み取り手段７は、Ｓ１００１に戻り、カード７の挿入検出処理を継続する。
【００３８】
また、カード７の挿入を検出すると（Ｓ１００２）、カード読み取り手段９は、制御手段１０に対し、カード７の挿入検出を通知し、これを受けた制御手段１０は、カード読み取り手段９に対し、認証順序情報の読み取りを指示する。この指示を受けたカード読み取り手段９は、カード７の記憶領域８より、認証順序情報の読み取りを行う（Ｓ１００３）。認証順序読み取り情報は、上記したように、カード７の記憶領域８には、予め図３に示されるような情報が記憶されており、その中に、認証順序情報が記憶されている。本実施の形態は、記憶領域８に記憶されている情報は図３に示される情報であるとして説明する。よって、本実施の形態の場合、第1の生体情報認証手段として、手のひら静脈認証、第２の生体情報認証手段として声紋認証として記憶されている認証順序情報が、カード７の記憶領域８より読み出される。この読み出された情報は、カード読み取り手段より、制御手段１０へ通知される。
【００３９】
この通知を受けた制御手段１０は、カード読み取り手段９が読み出した情報から、カード７の記憶領域８に認証順序情報が記憶されていたか否かをチェックする（Ｓ１００４）。
【００４０】
もし、Ｓ１００４で、カード７に認証順序情報が記憶されていないと判断すれば、制御手段１０は、上記した予め制御手段１０の記憶領域２０に記憶されているデフォルトの認証順序情報（図６参照）を、今回の認証順序情報として、使用する。（Ｓ１００５）
また、Ｓ１００４で、カード７の記憶領域８に認証順序情報が記憶されていると判断すれば、カード読み取り手段９より通知された認証順序記憶情報を記憶領域２０に記憶する。（Ｓ１００６）
本実施の形態の場合、カード７の記憶領域８には、図３に示されるように、認証順序情報が記憶され、それをカード読み取り手段９が制御手段１０に通知しているので、Ｓ１００４で制御手段１０は、カード７に認証順序情報が記憶されていると判断し、Ｓ１００６の処理に従い、通知された、「第1の生体情報認証手段として、手のひら静脈認証、第２の生体情報認証手段として声紋認証」の認証順序情報を記憶領域２０に記憶する。
【００４１】
次に、制御手段１０は、第１の生体情報認証手段による認証処理を行う（Ｓ１００７）。
【００４２】
具体的にはまず、記憶領域２０に記憶されている認証順序情報を基に第１の生体情報認証手段として指定されている認証手段で使用する認証マスター情報を、カード読み取り手段９を制御してカード７の記憶領域８より読み出す。
【００４３】
そして、制御手段１０は、第１の生体情報認証手段に、認証指示及び、この認証マスター情報を送る。
【００４４】
本実施の形態の場合、上記してきたように、記憶領域２０には、第1の生体情報認証手段として、手のひら静脈認証が記憶されているので、制御手段１０は、カード読み取り手段９を制御してカード７の記憶領域より手のひら静脈認証の認証マスター画像情報を読み出し、手のひら静脈認証手段３１に対し、手のひら静脈認証を行う指示及び該認証マスター画像情報を送信する。
【００４５】
また、この際、制御手段１０は、利用者に、手のひら静脈認証のために手のひら静脈画像読み取り手段３に対し手をかざすよう示唆する表示を行うよう、ディスプレイ制御手段２４に指示を出す。これによりディスプレイ制御手段２４は、図９に示すような画面をディスプレイ２３に表示させる。
【００４６】
制御手段１０より認証の指示及び認証マスター画像情報を受けた手のひら静脈認証手段３１は、認証マスター画像情報を手のひら静脈記憶領域３２に記憶するとともに、手のひら静脈画像読み取り手段３より画像を読み取り、手のひら静脈情報記憶領域３２に記憶させる。
【００４７】
そして、手のひら静脈情報認証手段３１は、手のひら静脈情報記憶領域３２に記憶されている手のひら静脈画像読み取り手段が読み取った画像情報・認証マスター情報との対比を行い、その他人受入率を算出する。この算出手法は、その生体情報認証手段ごとに算出アルゴリズムがあるが、周知の技術であり、かつ、本発明の本質部分ではないのでここでは特に言及しない。本実施の形態の場合、ここで算出された他人受入率が、３．０％であったとして説明する。
【００４８】
手のひら静脈認証手段３１は、この認証結果と、認証レベル記憶領域３３に記憶されている認証レベル情報を、制御手段１０へ転送する。上記したように、本実施の形態で認証レベル記憶領域３３に記憶されている認証レベル情報は、図５に示される情報であり、この情報が、制御手段１０へ送信される。
【００４９】
これを受けた制御手段１０は、送られてきた他人受入率と認証レベル情報を記憶領域２０に記憶する。（Ｓ１００８）そして、該認証レベル情報のうち、第１回目の認証レベル閾値にある、第１認証レベル閾値・第２認証レベル閾値の各値と、同じく記憶領域２０に記憶した、手のひら静脈認証手段３１から送られてきた他人受入率（以下認証結果他人受入率）とを比較する（Ｓ１００９）。
【００５０】
ここで、認証結果他人受入率が第１認証レベル閾値をクリア、即ち第１認証レベル閾値である他人受入率１０．０％より低い値であった場合、認証完了の処理である、後述するＳ１０１３以降の処理へ移行する。また、認証結果他人受入率が第２認証レベル閾値（他人受入率５．０％）より他人受入率が高い場合、即ち、第２認証レベル閾値もクリアできない場合、認証失敗処理であるＳ１０１４移行の処理へ移行する。
【００５１】
また、第１認証レベル閾値をクリアできないが第２認証レベル閾値をクリアできた場合は、Ｓ１００９以降の処理へ移行する。なお、本実施の形態の場合、上記したように認証結果他人受入率は、３．０％であるので、このＳ１０１０以降の処理が行われる。
【００５２】
Ｓ１０１０において制御手段１０は、第２の生体情報認証手段の認証レベル設定を行う。
【００５３】
まず、記憶領域２０より、第２の生体情報認証手段として記憶されている生体認証を読み出す。本実施の形態の場合、声紋認証が記憶されているので、それが読み出される。続いて、この読み出された認証に対応する生体情報認証手段へ、認証レベル情報を通知する様、指示する。本実施の形態の場合、第２の生体情報認証手段は声紋認証として記憶領域２０に記憶されているので、制御手段１０は、対応する声紋認証手段６１に対し、認証レベル情報を通知するように指示する。
【００５４】
これを受けた声紋認証手段６１は、認証レベル情報記憶領域６３より、認証レベル情報を読み出し、制御手段１０へ送信する。この情報は、上記したように図４に示される認証レベル情報が送信される事になる。
【００５５】
これを受けた制御手段１０は、この情報を記憶領域２０に記憶する。
【００５６】
そして、制御手段１０は、第１の生体情報認証手段での認証結果他人受入率と、第２の生体情報認証手段より受信した認証レベル情報のうち、第２回目以降の認証レベル閾値とを対比し、該当する認証レベル値を第２の生体情報認証手段におけるレベル閾値として記憶領域２０に記憶する。本実施の形態の場合、第１の生体情報認証手段である手のひら静脈認証手段３１での認証結果他人受入率は３．０％であったので、図４の第２回目以降の認証レベル閾値のうち（２）が該当し、制御手段１０は、他人受入率５．０％を第２の生体情報認証手段における認証レベル閾値として記憶する。
【００５７】
なお、本実施の形態では、このように認証レベル情報を段階的に記憶しておく方式としたが、この方式の変わりに図１０のフローチャートに示すように、
第２の生体情報認証手段の認証レベル閾値（他人受入率）
←  第１の生体情報認証手段の認証レベル閾値（他人受入率）／第１の生体情報認証手段の認証結果他人受入率
というように、第１回目の認証結果他人受入率が第１認証レベル閾値（他人受入率）に近いほど、第２の生体情報認証手段の認証レベル閾値（他人受入率）が高くなるような計算式に基づき設定するようにすれば、本実施の形態のよう第２回目以降の認証レベル閾値を持つ必要が無くなる。
【００５８】
この処理が完了すると、制御手段１０は、第２の生体情報認証手段による認証処理を行う。
【００５９】
まず、カード読み取り手段９を制御して、カード７の記憶領域８より、記憶領域２０に記憶されている情報に基づき第２の生体情報認証手段に対応する認証マスター情報を読み出す。本実施の形態の場合、記憶領域２０には、第２の生体情報認証手段として声紋認証が記憶されているので、制御手段１０は、カード読み取り手段９に対し、カード７の記憶領域８より、声紋認証マスター情報を読み出すよう指示する。この指示を受けたカード読み取り手段９は、カード７の記憶領域８より、声紋認証の認証マスター情報を読み出し、制御手段１０へ送る。
【００６０】
この声紋認証マスター情報を受けた制御手段１０は、利用者に、声紋認証のためにマイク６に対し名前を発生するよう示唆する表示を行うよう、ディスプレイ制御手段２４に指示を出す。これによりディスプレイ制御手段２４は、図１１に示すような画面をディスプレイ２３に表示させる。
【００６１】
また、制御手段１０は、第２の生体情報認証手段に、認証指示及び、この認証マスター情報を送る。
【００６２】
本実施の形態の場合、上記してきたように、記憶領域２０には、第２の生体情報認証手段として、声紋認証が記憶されているので、制御手段１０は、取得した認証マスター情報及び認証指示を声紋認証手段６１送信する。
【００６３】
制御手段１０より認証の指示及び認証マスター情報を受けた声紋認証手段６１は、認証マスター情報を声紋情報記憶領域６２に記憶するとともに、マイク６より画像を読み取り、声紋情報記憶領域６２に記憶させる。
【００６４】
そして、声紋認証手段６１は、声紋情報記憶領域６２に記憶されているマイク６により取得した声紋情報と認証マスター情報との対比を行い、その他人受入率を算出する。
【００６５】
この算出手法は、その生体情報認証手段ごとに算出アルゴリズムがあるが、周知の技術であり、かつ、本発明の本質部分ではないのでここでは特に言及しない。また本実施の形態の場合、ここで算出された他人受入率（以後第２認証結果他人受入率）が、４．０％であったとして説明する。
【００６６】
声紋認証手段６１は、この第２認証結果他人受入率を制御手段１０へ送信する。
【００６７】
この情報を受けた、制御手段１０は、第２認証結果他人受入率と、記憶領域２０に記憶されている第２の生体情報認証手段における認証レベル閾値とを比較し、第２認証結果他人受入率が該第２の生体情報認証手段における認証レベル閾値以下であれば、認証クリアとしてＳ１０１３以降の処理を行う。
【００６８】
また、第２認証結果他人受入率が該第２の生体情報認証手段における認証レベル閾値を超えるようであれば、Ｓ１０１４以降の認証失敗時の処理を行う。
【００６９】
なお、本実施の形態の場合、上記してきたように、第２認証結果他人受入率が４．０％、該第２の生体情報認証手段における認証レベル閾値は５．０％であるので、制御手段１０は認証クリアとして、Ｓ１０１３以降の処理を行う。
【００７０】
Ｓ１０１３において、制御手段１０は、通信制御手段１１を制御し、ネットワーク１２を経由してセンター１３へ、認証を確認した事を示す情報（認証確認情報）を送信するとともに、ディスプレイ制御手段２４に対し、認証クリア通知及び各種手続の処理のメニュー画面を表示するよう指示する。これを受けたディスプレイ制御手段２４は、図１２に示すように、ディスプレイ２３に認証クリア通知及び各種手続の処理のメニュー画面を表示させる（Ｓ１０１５）。
【００７１】
この後、利用者がタッチパネル２１に対し入力を行うと、それをタッチパネル制御手段２２が制御手段１０に通知し、制御手段１０は、それに応じた各種処理を行う。（Ｓ１０１７）この各種処理は、本発明の本質部分でないため説明を省略する。
【００７２】
この処理の完了後、制御手段１０は、カード読み取り手段９に対し、カード排出の指示を行い、これを受けたカード読み取り手段９は、カード７の排出を行う（Ｓ１０１８）。
【００７３】
なお、Ｓ１０１２の認証の結果、認証不可となった場合、認証不可であったことを示す情報を制御手段１０の記憶領域２０に記憶するとともに、通信制御手段１１を制御して、ネットワーク１２経由でセンター１３へ通知する。（Ｓ１０１４）
そして、制御手段１０は、ディスプレイ制御手段２４に対し認証失敗を示す情報を表示させるよう指示を出し、これを受けたディスプレイ制御手段２４は、ディスプレイ２３に図１３に示すような、認証失敗及びカード返却を知らせる画面を表示させる（Ｓ１０１６）。
【００７４】
その後、制御手段１０は、上記したＳ１０１８の処理に移行し、カード７の排出処理を行う。
【００７５】
本実施の形態においては、２段階の認証で説明してきたが、この第２回以降の認証手順を同じくして、更に多段階の認証を行わせる事も可能である。
【００７６】
例えば、上記実施の形態において、第２の生体情報認証手段での他人受け入れ率の閾値を第1の生体情報認証手段と同じく、第1の認証レベル閾値と第２の認証レベル閾値を持ち、第1の認証レベル閾値に達せず、第2の認証レベル閾値に達した場合は、更に第3の生体情報認証手段により、同様の認証を行う、というように、多段階での認証を可能とする。
【００７７】
また、本実施の形態のように、第１の認証レベル閾値をクリアもしくは、第２の認証レベル閾値もクリアできない場合は、２回目の認証を省略できるようにする事で、認証される
利用者が、必ず、２回の認証を行わなければならないという事も無くなり、必ず２回の認証を行う従来の技術に比べれば、認証にかかる平均処理時間を短縮する事が可能となる。
【００７８】
また、本実施の形態では基本的に、第２の生体情報認証手段による認証結果は、第１の認証結果の補強であるため、他人受入率が比較的低い生体情報認証手段を第１の生体情報認証手段とし、他人受入率が比較的高い生体情報認証手段を第２の生体情報認証手段としても、第１の生体情報認証手段より本人拒否率を低め、かつ他人受入率を高める事も無くなる。
【００７９】
また、本実施の形態とは逆に、他人受入率が比較的高い生体情報認証手段を第１の生体情報認証手段とし、他人受入率が比較的低い生体情報認証手段を第２の生体情報認証手段とする事で、第１の生体認証にてある程度の本人拒否行わないようにし、第２の生体認証にて、その結果を補強するようにする事で、当初より本人で無いとする本人拒否率を下げるという事も可能となる。
【００８０】
また、本実施の形態においては、他人受入率を認証レベル情報として認証を行ったが、これに限らず本人認証の確度を示す認証レベル情報であればよい。
【００８１】
次に第２の実施の形態について説明する。
【００８２】
第２の実施の形態では、認証手段を複数設けるのではなく、処理手順の異なる２つの認証手段を利用した認証を行う事を特徴としている。
【００８３】
本実施の形態におけるブロック図を図１４に示す。
【００８４】
なお、今回の実施の形態では、手のひら静脈認証を認証手段とした場合について説明している。また、第１の実施の形態と同じ機能の構成については同一の番号を付し、説明を省略する。
【００８５】
３４は、手のひら静脈認証手段３１と認証ロジックが異なる第２の手のひら静脈認証手段３１である。この第２の手のひら静脈認証手段にも、手のひら静脈画像読み取り手段３で取得された手のひら静脈画像情報を記憶する手のひら静脈情報記憶領域３２、認証レベル情報を記憶する認証レベル情報記憶領域３３と同等の、第２の手のひら静脈情報記憶領域３５と認証レベル情報記憶領域３３と同等の機能を有する第２の認証レベル情報記憶領域３６とが接続されている。
【００８６】
また、記憶領域２０に記憶される、デフォルトの記憶順序情報は、第１の生体情報記憶手段として手のひら静脈認証手段３１、第２の生体情報記憶手段として第２の手のひら静脈認証手段３４が記憶され、また、カード７の記憶領域８にも同様に手のひら静脈認証手段３１、第２の手のひら静脈認証３４を順序付けた情報が認証順序情報として記憶されている。
【００８７】
以上のように構成された、第２の実施の形態における生体認証システムの処理自体は、事実上図７，図８で示された第１の実施の形態のフローチャートに沿ったものとなるので説明を省略する。
【００８８】
ただし、１回目と同じ手のひら静脈画像情報を利用すれば、Ｓ１０１１にて再度手のひら静脈画像読み取り手段から手のひら静脈画像情報を読み込ませるための処理は、不要となる。
【００８９】
このように、同じ認証を処理手順の異なる２つの処理手段に行わせる事も可能であり、この場合、利用者から見れば、何度認証が行われ様と、１回の認証情報の読み取り作業で済むため利用者に操作を何度もお粉和させる必要が無くなる。
【００９０】
上記した以外にも、指紋認証で、複数の指を利用した認証の場合のように、利用者が１人でも複数の同一形態の認証を行う場合にも同様の多段階の認証を行う事が可能である。
【００９１】
このようにすれば、認証手段は１つで、同様の効果を得る事が可能となる。
【００９２】
この様な場合、カード７の記憶領域８には図１５に示すように認証対象の指の指紋情報を記憶しておく事で対応が可能となる。
【００９３】
更に、本発明の利用形態として、企業内の端末操作許可などの認証に利用する場合が考えられる。
【００９４】
この様な場合、図１６のように、認証を行う認証サーバ２０１に設置し、端末２０２ニ接続されている各種生体情報認証手段からので読み込んだ生体情報を認証サーバ２０１へ送り、認証サーバ２０１にて上記してきたのと同様の処理手順にて処理を行う事が可能である。
【００９５】
（付記１）  コンピュータに、
第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行させる生体認証プログラム。（１）
（付記２）  前記第２認証ステップにおいて、第３の認証レベル閾値は、第１の生体情報認証手段の認証レベル情報に応じて設定する
事を特徴とする付記１記載の生体認証プログラム。（２）
（付記３）  前記第２認証ステップにおいて、第３の認証レベル閾値は、第１の生体情報認証手段の認証レベル情報が第１の認証レベル閾値に近いほど、認証レベル閾値を低くする事を特徴とする付記２に記載の生体認証プログラム。（３）
（付記４）  前記第１の生体情報認証手段及び前記第２の生体情報認証手段からの認証レベル情報、第１の認証レベル閾値、第２の認証レベル閾値及び第３の認証レベル閾値は他人受入率情報である事を特徴とする付記１から付記３に記載の生体認証プログラム。（４）
（付記５）前記第１の生体情報認証手段より前記第２の生体情報認証手段のほうが平均他人受入率が大きい事を特徴とする付記１から付記４に記載の生体認証プログラム。
【００９６】
（付記６）前記第１の生体情報認証手段より前記第２の生体情報認証手段のほうが平均他人受入率が小さい事を特徴とする付記１から付記４に記載の生体認証プログラム。
【００９７】
（付記７）  コンピュータに、
生体情報読み取り手段からの情報に基づき認証を行う第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、前記生体情報読み取り手段からの情報に基づき認証を行う第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行させる生体認証プログラム。（５）
（付記８）  コンピュータに、
生体情報読み取り手段からの情報に基づき、第１の生体情報に対する認証を行う第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、前記生体情報読み取り手段からの情報に基づき、第２の生体情報に対する認証を行う第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行させる生体認証プログラム。（６）
（付記９）  コンピュータが、
第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行する事を特徴とする生体認証方法。（７）
（付記１０）  前記第２認証ステップにおいて、第３の認証レベル閾値は、第１の生体情報認証手段の認証レベル情報に応じて設定する
事を特徴とする付記９記載の生体認証方法。
【００９８】
（付記１１）  前記第２認証ステップにおいて、第３の認証レベル閾値は、第１の生体情報認証手段の認証レベル情報が第１の認証レベルに近いほど、認証レベル閾値を低くする事を特徴とする付記１０に記載の生体認証方法。
【００９９】
（付記１２）  コンピュータが、
生体情報読み取り手段からの情報に基づき認証を行う第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、前記生体情報読み取り手段からの情報に基づき認証を行う第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行する事を特徴とする生体認証方法。（８）
（付記１３）  コンピュータが、
生体情報読み取り手段からの情報に基づき、第１の生体情報に対する認証を行う第１の生体情報認証手段に対し、認証指示を行う第１認証指示ステップと、
前記指示ステップの後、第１の生体情報認証手段からの認証レベル情報が、第１の認証レベル閾値に達せず、第２の認証レベル閾値に達していると判断した場合、前記生体情報読み取り手段からの情報に基づき、第２の生体情報に対する認証を行う第２の生体情報認証手段における第３の認証レベル閾値を設定するとともに第２の生体情報認証手段に対し、認証指示を行う第２認証指示ステップと、
前記第２認証指示ステップの後、第２の生体情報認証手段からの認証レベル情報が、第３の認証レベル閾値に達している場合、認証を許可する許可ステップと、
を実行する事を特徴とする生体認証方法。
【０１００】
（付記１４）第１の生体情報認証手段に対し、認証指示を行う第１認証指示手段と、
前記指示手段による認証指示の後、第１の生体情報認証手段からの認証レベル情報が、第１の認証レベル閾値に達せず、第２の認証レベル閾値に達していると判断した場合、第２の生体情報認証手段における第３の認証レベル閾値を設定するとともに第２の生体情報認証手段に対し、認証指示を行う第２認証指示手段と、
前記第２認証指示手段による認証指示の後、第２の生体情報認証手段からの認証レベル情報が、第３の認証レベル閾値に達している場合、認証を許可する許可手段と、
を有する事を特徴とする生体認証装置。（９）
（付記１５）  前記第３の認証レベル閾値は、第１の生体情報認証手段の認証レベル情報に応じて設定する
事を特徴とする付記１４記載の生体認証装置。
【０１０１】
（付記１６）  前記第３の認証レベル閾値は、第１の生体情報認証手段の認証レベル情報が第１の認証レベルに近いほど、認証レベル閾値を低くする事を特徴とする付記１５に記載の生体認証装置。
【０１０２】
（付記１７）生体情報読み取り手段からの情報に基づき認証を行う第１の生体情報認証手段に対し、認証指示を行う第１認証指示手段と、
前記指示手段による認証指示の後、第１の生体情報認証手段からの認証レベル情報が、第１の認証レベル閾値に達せず、第２の認証レベル閾値に達していると判断した場合、前記生体情報読み取り手段からの情報に基づき認証を行う第２の生体情報認証手段における第３の認証レベル閾値を設定するとともに第２の生体情報認証手段に対し、認証指示を行う第２認証指示手段と、
前記第２認証指示手段による認証指示の後、第２の生体情報認証手段からの認証レベル情報が、第３の認証レベル閾値に達している場合、認証を許可する許可手段と、
を有する事を特徴とする生体認証装置。（１０）
（付記１８）  生体情報読み取り手段からの情報に基づき、第１の生体情報に対する認証を行う第１の生体情報認証手段に対し、認証指示を行う第１認証指示手段と、
前記指示手段による認証指示の後、第１の生体情報認証手段からの認証レベル情報が、第１の認証レベル閾値に達せず、第２の認証レベル閾値に達していると判断した場合、前記生体情報読み取り手段からの情報に基づき、第２の生体情報に対する認証を行う第２の生体情報認証手段における第３の認証レベル閾値を設定するとともに第２の生体情報認証手段に対し、認証指示を行う第２認証指示手段と、
前記第２認証指示手段の後、第２の生体情報認証手段からの認証レベル情報が、第３の認証レベル閾値に達している場合、認証を許可する許可手段と、
を実行する事を特徴とする生体認証装置。
【図面の簡単な説明】
【０１０３】
【図１】本発明の一実施の形態における生体認証装置を適用したＡＴＭ端末の例を示した構成図
【図２】本発明の一実施の形態における生体認証装置を適用したＡＴＭ端末の機能ブロック図
【図３】本発明の一実施の形態における生体認証装置で使用するカード７の記憶領域８に記憶されている内容を示したテーブル図
【図４】本発明の一実施の形態における生体認証装置に記憶されている認証レベル設定情報を示した図
【図５】本発明の一実施の形態における生体認証装置に記憶されている認証レベル設定情報を示した図
【図６】本発明の一実施の形態において制御手段１０の記憶領域２０に記憶されているデフォルトの認証順序情報を示した図
【図７】本発明の一実施の形態における生体認証装置の処理フローチャート
【図８】本発明の一実施の形態における生体認証装置の処理フローチャート
【図９】本発明の一実施の形態において、ディスプレイ２３に表示される画面例を示した図
【図１０】本発明の一実施の形態において、第２の生体情報認証手段での認証レベル閾値を設定するための例を示したフローチャート
【図１１】本発明の一実施の形態において、ディスプレイ２３に表示される画面例を示した図
【図１２】本発明の一実施の形態において、ディスプレイ２３に表示される画面例を示した図
【図１３】本発明の一実施の形態において、ディスプレイ２３に表示される画面例を示した図
【図１４】本発明の第２の実施の形態における生体認証装置を適用したＡＴＭ端末の機能ブロック図
【図１５】本発明のその他の実施の形態における生体認証装置で使用するカード７の記憶領域８に記憶されている内容を示したテーブル図
【図１６】本発明の生体認証装置を適用したコンピュータシステムの機能ブロック図
【符号の説明】
【０１０４】
１      ＡＴＭ端末本体
２      タッチパネル付ディスプレイ
３      手のひら静脈画像読み取り手段
４      指紋読み取り手段
５      カメラ
６      マイク
７      カード
８      記憶領域８
９      カード情報読み取り手段
【図１】
2006252225.tif 000003
【図２】
2006252225.tif 000004
【図３】
2006252225.tif 000005
【図４】
2006252225.tif 000006
【図５】
2006252225.tif 000007
【図６】
2006252225.tif 000008
【図７】
2006252225.tif 000009
【図８】
2006252225.tif 000010
【図９】
2006252225.tif 000011
【図１０】
2006252225.tif 000012
【図１１】
2006252225.tif 000013
【図１２】
2006252225.tif 000014
【図１３】
2006252225.tif 000015
【図１４】
2006252225.tif 000016
【図１５】
2006252225.tif 000017
【図１６】
2006252225.tif 000018